(57)【要約】  安全性への配慮を確保しつつ、使い勝手のよい非接触送受電技術を提供する。生成した送電電力を無線給電で非接触受電装置２００に供給する非接触送電装置１００は、送電電力の生成を行う送電電力生成部１２０と、送電電力の生成を制御する制御部１１７と、を備え、制御部１１７は、非接触送電装置１００および非接触受電装置２００の少なくとも一方が配置された周囲環境または少なくとも一方の装置状態に応じて送電電力生成部１２０による送電電力の生成を制御する。
2019180895.tif 000002
【特許請求の範囲】
【請求項１】
生成した送電電力を無線給電で非接触受電装置に供給する非接触送電装置であって、
前記送電電力の生成を行う送電電力生成部と、
前記送電電力生成部による前記送電電力の生成を制御する制御部と、を備え、
前記制御部は、当該非接触送電装置および前記非接触受電装置の少なくとも一方が配置された周囲環境または少なくとも一方の装置状態に応じて前記送電電力生成部による前記送電電力の生成を制御すること
を特徴とする非接触送電装置。
【請求項２】
請求項１記載の非接触送電装置であって、
前記制御部は、当該非接触送電装置の周囲の予め定めた範囲内で人の存在を検出したと判断した場合、前記送電電力生成部に前記送電電力を生成させること
を特徴とする非接触送電装置。
【請求項３】
請求項２記載の非接触送電装置であって、
前記制御部は、前記範囲内で人を検出した場合に人感検知信号を出力する人感センサから当該人感検知信号を受信した場合、前記人を検出したと判断すること
を特徴とする非接触送電装置。
【請求項４】
請求項３記載の非接触送電装置であって、
前記制御部は、前記送電電力の生成を開始させた後、所定期間、前記範囲内で人を検出しない場合、前記送電電力生成部に前記送電電力の生成を停止させること
を特徴とする非接触送電装置。
【請求項５】
請求項２記載の非接触送電装置であって、
前記制御部は、前記範囲内で照明が点灯された場合に照明点灯検知信号を出力する照明点灯検知部から当該照明点灯検知信号を受信した場合、前記人を検出したと判断すること
を特徴とする非接触送電装置。
【請求項６】
請求項２記載の非接触送電装置であって、
前記制御部は、前記範囲内で照明が点灯された場合に照明点灯検知信号を出力する照明点灯検知部から当該照明点灯検知信号を受信し、かつ、当該範囲内に入るためのドアの開閉操作がなされた場合にドア開閉検知信号を出力するドア開閉ロック検知部から、当該ドア開閉検知信号を受信した場合、前記人を検出したと判断すること
を特徴とする非接触送電装置。
【請求項７】
請求項２記載の非接触送電装置であって、
前記制御部は、前記範囲内で照明が点灯された場合に照明点灯検知信号を出力する照明点灯検知部から当該照明点灯検知信号を受信し、かつ、前記範囲内で人を検出した場合に人感検知信号を出力する人感センサから当該人感検知信号を受信した場合、前記人を検出したと判断すること
を特徴とする非接触送電装置。
【請求項８】
請求項２記載の非接触送電装置であって、
前記制御部は、当該範囲内に入るためのドアの施錠操作がなされた場合に施錠検知信号を出力するドア開閉ロック検知部から、当該施錠検知信号を受信した場合、前記人を検出したと判断すること
を特徴とする非接触送電装置。
【請求項９】
請求項８記載の非接触送電装置であって、
前記制御部は、前記送電電力の生成を開始させた後、前記ドア開閉ロック検知部から前記ドアの解錠操作がなされた場合に出力される解錠検知信号を受信した場合、前記送電電力生成部に前記送電電力の生成を停止させること
を特徴とする非接触送電装置。
【請求項１０】
請求項２記載の非接触送電装置であって、
前記制御部は、前記範囲内で人を検出しない場合、前記送電電力生成部に、前記人を検出したと判断した場合に生成させる送電電力より、さらに高い電力の送電電力を生成させること
を特徴とする非接触送電装置。
【請求項１１】
請求項１記載の非接触送電装置であって、
前記制御部は、前記非接触受電装置の冷却環境に応じて、前記送電電力生成部が生成する前記送電電力のパワーを変化させること
を特徴とする非接触送電装置。
【請求項１２】
請求項１記載の非接触送電装置であって、
供給対象の前記非接触受電装置の識別情報を予め記憶するメモリ部をさらに備え、
前記制御部は、当該非接触送電装置の周囲に、前記メモリ部に前記識別情報が記憶された前記非接触受電装置が有る場合、前記送電電力生成部に前記送電電力を生成させること
を特徴とする非接触送電装置。
【請求項１３】
請求項１記載の非接触送電装置であって、
ユーザの認証情報を予め記憶するメモリ部をさらに備え、
前記制御部は、前記認証情報が前記メモリ部に記憶されているユーザが、当該非接触送電装置の周囲にいる場合、前記送電電力生成部に前記送電電力を生成させること
を特徴とする非接触送電装置。
【請求項１４】
請求項１記載の非接触送電装置であって、
前記制御部は、前記非接触受電装置から、当該非接触受電装置のバッテリの残量が予め定めた閾値以下となったことを示す残量低下信号を受信した場合、前記送電電力生成部に前記送電電力を生成させること
を特徴とする非接触送電装置。
【請求項１５】
請求項１４記載の非接触送電装置であって、
充電可能期間を予め記憶するメモリ部をさらに備え、
前記制御部は、前記残量低下信号を受信した場合であっても、前記充電可能期間でない場合は、前記送電電力生成部に前記送電電力を生成させないこと
を特徴とする非接触送電装置。
【請求項１６】
請求項１５記載の非接触送電装置であって、
前記制御部は、当該非接触送電装置の周囲で人が検出された期間を蓄積し、当該蓄積した結果から前記充電可能期間を決定する学習部を備えること
を特徴とする非接触送電装置。
【請求項１７】
請求項１記載の非接触送電装置と、
前記非接触受電装置と、を備える非接触送受電システムであって、
前記非接触受電装置は、
前記非接触送電装置から供給された前記送電電力で充電するバッテリと、
前記バッテリの残量を検出し、予め定めた閾値以下となった場合、前記非接触送電装置に残量低下信号を送信するバッテリ残量検出部と、を備え、
前記非接触送電装置の前記制御部は、前記残量低下信号を受信すると、前記送電電力生成部に前記送電電力を生成させること
を特徴とする非接触送受電システム。
【発明の詳細な説明】
【技術分野】
【０００１】
本発明は、非接触で送受電を行う非接触送受電技術に関する。
【背景技術】
【０００２】
非接触給電は、金属製の接点がないため、水分やごみ、埃等による接触不良や漏電を防ぐことができる。また、防水性能を確保し易いため、水回りで用いる電気機器に採用されている。【０００３】
例えば、特許文献１には、「複数の非接触給電部のうち１つのみを駆動する検出可能期間を、駆動する非接触給電部を順次切り換えて一定時間毎に発生させ、検出可能期間において駆動中の非接触給電部から受電側をみたインピーダンスを測定し、当該測定したインピーダンスに基づいて当該非接触給電部に非接触受電部が対向して配置されているか否かを判断することによって、各非接触給電部に非接触受電部が対向して配置されたか否かを検出する駆動対象検出手段と、非接触受電部が対向して配置された非接触給電部のみを駆動する駆動手段とを構成する駆動制御部を備える（要約抜粋）」非接触給電機能付き浴槽が開示されている。【０００４】
また、特許文献２には、「非接触給電システム用表示システムは、非接触給電対象である電気かみそりから転送される画像情報を可視可能に表示する表示ユニットを備える。電気かみそりは、受電ユニットと、認証情報保持部と、撮像ユニットと、第１の無線通信ユニットとを備える。送電装置は、第２の無線通信ユニットと、認証回路と、表示ユニットとを備え、受信される認証情報が認証回路によって認証された電気かみそりであることを条件に送電を行い、当該電気かみそりの撮像装置からリアルタイムに送られる画像情報を表示ユニットにリアルタイムに可視可能に表示する（要約抜粋）」非接触給電システム用表示システムが開示されている。
【先行技術文献】
【特許文献】
【０００５】
【特許文献１】特開２００９−１５９６８４号公報
【特許文献２】特開２０１４−５０１２７号公報
【発明の概要】
【発明が解決しようとする課題】
【０００６】
特許文献１によれば、複数の非接触給電部のうち給電先の電気機器が設置されている非接触給電部を検出して不要な電力消費を抑制し、省エネルギー化を図ることができる。また、特許文献２によれば、非接触給電対象である電気機器の利便性が向上する。しかしながら、いずれの文献にも、安全性の配慮はない。【０００７】
例えば、無線給電エリアに金属片等の金属性異物があると、無線給電電力の影響を受けて金属性異物が発熱する可能性がある。また、上述のように、非接触給電は、水回りの電気機器への適用が進んでいる。水回りで電気機器を使用する場合、例えば、防水絶縁性能の劣化が進みやすい。【０００８】
本発明は上記事情に鑑みてなされたもので、安全性への配慮を確保しつつ、使い勝手のよい非接触送受電技術を提供することを目的とする。
【課題を解決するための手段】
【０００９】
本発明は、生成した送電電力を無線給電で非接触受電装置に供給する非接触送電装置であって、前記送電電力の生成を行う送電電力生成部と、前記送電電力生成部による前記送電電力の生成を制御する制御部と、を備え、前記制御部は、当該非接触送電装置および前記非接触受電装置の少なくとも一方が配置された周囲環境または少なくとも一方の装置状態に応じて前記送電電力生成部による送電電力の生成を制御することを特徴とする。【００１０】
また、本発明は、上述の非接触送電装置と、前記非接触受電装置と、を備える非接触送受電システムであって、前記非接触受電装置は、前記非接触送電装置から供給された送電電力で充電するバッテリと、前記バッテリの残量を検出し、予め定めた閾値以下となった場合、前記非接触送電装置に残量低下信号を送信するバッテリ残量検出部と、を備え、前記非接触送電装置の前記制御部は、前記残量低下信号を受信すると、前記送電電力生成部に前記送電電力を生成させることを特徴とする。
【発明の効果】
【００１１】
本発明の技術を用いることにより、安全性への配慮を確保しつつ、使い勝手のよい非接触送受電技術を提供できる。また、上記した以外の課題、構成および効果は、以下の実施形態の説明により明らかにされる。
【図面の簡単な説明】
【００１２】
【図１】第一の実施形態の非接触送受電システムの使用例を説明するための説明図である。
【図２】第一の実施形態の非接触送受電システムの構成図である。
【図３】第一の実施形態の非接触送電装置の制御部の機能ブロック図である。
【図４】第一の実施形態の送電電力生成処理のフローチャートである。
【図５】第一の実施形態の変形例１の送電電力生成処理のフローチャートである。
【図６】第一の実施形態の変形例２の送電電力生成処理のフローチャートである。
【図７】第一の実施形態の変形例３の送電電力生成処理のフローチャートである。
【図８】第一の実施形態の変形例４の送電電力生成処理のフローチャートである。
【図９】第一の実施形態の変形例５の送電電力生成処理のフローチャートである。
【図１０】第二の実施形態の非接触送電装置の制御部の機能ブロック図である。
【図１１】第二の実施形態の送電電力生成処理のフローチャートである。
【図１２】第三の実施形態の非接触送電装置の制御部の機能ブロック図である。
【図１３】第三の実施形態の送電電力生成処理のフローチャートである。
【図１４】第四の実施形態の非接触送電装置の制御部の機能ブロック図である。
【図１５】第四の実施形態の非接触送電装置の制御部による処理のフローチャートである。
【図１６】第四の実施形態の送電電力生成処理のフローチャートである。
【図１７】第五の実施形態の送電電力生成処理のフローチャートである。
【図１８】第六の実施形態の送電電力生成処理のフローチャートである。
【図１９】第六の実施形態の変形例の制御部の機能ブロック図である。
【図２０】本発明の変形例の非接触送受電システムの使用例を説明するための説明図である。
【図２１】本発明の変形例の非接触送受電システムの使用例を説明するための説明図である。
【図２２】本発明の変形例の非接触送受電システムの使用例を説明するための説明図である。
【発明を実施するための形態】
【００１３】
以下、図面を参照しながら本発明の実施形態について説明する。以下、本明細書において、同一機能を有するものは、特に断らない限り、同一の符号を付し、繰り返しの説明は省略する。
【００１４】
＜＜第一の実施形態＞＞
まず、本発明の第一の実施形態の非接触送受電システム１０１の使用例を説明する。図１は、本実施形態の非接触送電装置１００が、非接触受電装置２００として、浴室３３０の浴槽３５０内に配置されたバブル生成器２２０に給電する場合の使用例である。
【００１５】
［非接触送電システム］
本実施形態の非接触送受電システム１０１は、非接触送電装置１００と、非接触受電装置２００であるバブル生成器２２０と、浴室３３０内の状態を検出する各種の検知部と、を備える。本実施形態では、検知部として、照明点灯検知部３０１と、人感センサ部３０２と、ユーザ認証センサ部３０３と、水センサ部３０４と、ドア開閉ロック検知部３０５と、を備える。これらの各検知部は、浴室３３０内に設置される。
【００１６】
非接触送電装置１００は、商用電源３７０から供給された交流電源を用いて送電電力を生成し、無線給電（非接触給電）で非接触受電装置２００（バブル生成器２２０）に供給する。本実施形態では、非接触送電装置１００は、例えば、浴室３３０内に配置される。そして、浴室３３０に設置された各種の検知部からの検知検出信号に応じて送電電力の生成を制御する。
【００１７】
バブル生成器２２０は、非接触送電装置１００とは非接触状態で、浴槽３５０内に浸水設置される。非接触送電装置１００から無線給電により受けた電力により、機能動作を行う。なお、無線給電により受けた電力を、一旦、内部のバッテリに充電し、バッテリ電源を用いて機能動作を行ってもよい。
【００１８】
本実施形態のバブル生成器２２０は、例えば、浴槽３５０内の水にバブル（気泡）を発生させるという機能動作を行う。バブル生成器２２０が発生したバブルは、人体の毛穴の洗浄や保温保湿を高める。
【００１９】
照明点灯検知部３０１は、浴室３３０が備える浴室用照明３６０の点灯を検知する。浴室用照明３６０の点灯を検知すると、照明点灯検知信号を生成し、非接触送電装置１００へ送信する。本実施形態では、照明点灯検知部３０１として、例えば、照度センサ等を用いる。本実施形態では、所定の時間間隔で、照度センサ周囲の照度を検出し、照度センサ近傍の照度が所定値以上である場合、照明点灯検知信号を出力する。
【００２０】
なお、浴室用照明３６０は、例えば、浴室壁面３３１の、天井部等に備えられる。また、浴室３３０の外部の、浴室ドア３３２の近傍に配置される照明スイッチ（ＳＷ）３６１により点灯、消灯が行われる。従って、照明ＳＷ３６１と連動可能な場合は、照明ＳＷ３６１のＯＮ／ＯＦＦ操作信号により、点灯、消灯を判別し、照明点灯検知信号を出力するよう構成してもよい。
【００２１】
人感センサ部３０２は、浴室３３０内の人３９０の在不在を検知する。所定の時間間隔で、浴室３３０内の人３９０の有無を判別し、人３９０がいることを検知すると、人感検知信号を生成し、非接触送電装置１００へ送信する。人感センサ部３０２は、例えば、赤外線、超音波、可視光等を用いて人３９０の有無を検知する。
【００２２】
ユーザ認証センサ部３０３は、個人認証を行い、結果を個人認証信号として非接触送電装置１００へ送信する。個人認証信号には、認証の成否を示す情報が含まれる。個人認証は、例えば、指紋、目の網膜、顔貌などを用いて行う。
【００２３】
水センサ部３０４は、バブル生成器２２０が水に浸っているか否かを検出する。バブル生成器２２０が水に浸っていることを検出すると、水浸検知信号を生成し、非接触送電装置１００へ送信する。また、浴槽３５０内の水の温度を検出し、水温検出信号として非接触送電装置１００へ送信してもよい。
【００２４】
ドア開閉ロック検知部３０５は、ドアノブ３３３を介して浴室ドア３３２の開閉、施錠（ロック）を検知する。浴室ドア３３２の開閉を検知すると、ドア開閉検知信号を、浴室ドア３３２がロックされたこと、すなわち、施錠操作を検知すると施錠検知信号を、浴室ドア３３２のロックが解錠されたこと、すなわち、解錠操作を検知すると解錠検知信号を、それぞれ、非接触送電装置１００へ送信する。
【００２５】
なお、浴室３３０には、さらに、浴槽３５０内の水を加熱するため、浴槽用水温加熱装置３４０を備えていてもよい。浴槽用水温加熱装置３４０は、電源スイッチ３４２と、加熱部３４１とを備える。浴槽用水温加熱装置３４０は、非接触送電装置１００同様、商用電源３７０から交流電力の供給を受け、加熱部３４１で、浴槽３５０内の水を所望の温度に加熱する。
【００２６】
なお、上記検知部は、必ずしも全て備えなくてよい。各制御処理に応じて必要な検知部を備えていればよい。
【００２７】
［非接触送電装置］
上述のように、本実施形態の非接触送電装置１００は、商用電源３７０から交流電力の供給を受け、各検知部からの検知検出信号に応じて、バブル生成器２２０へ供給する送電電力を生成する。これを実現する本実施形態の非接触送受電システム１０１の構成を、図２に示す。
【００２８】
本図に示すように、本実施形態の非接触送電装置１００は、整流部１１１と、送電電力生成部１２０と、送電コイル１１６と、制御部１１７と、メモリ部１１８と、表示操作入力部１２１と、音声入出力処理部１２４と、近距離無線通信部１２３と、バス１２９とを備える。
【００２９】
送電電力生成部１２０は、ＤＣ−ＤＣコンバータ部１１２と、送電電力生成増幅部１１５と、を備える。また、送電電力生成増幅部１１５は、共振周波数発生部１１３と、増幅部１１４とを備える。近距離無線通信部１２３は、通信部１２２と送受信アンテナ１２５とを備える。各構成部は整流部１１１、送電コイル１１６を除きそれぞれバス１２９を介して相互に接続される。
【００３０】
なお、照明点灯検知部３０１、人感センサ部３０２、ユーザ認証センサ部３０３、水センサ部３０４、ドア開閉ロック検知部３０５等の状態検出部もバス１２９に接続される。
【００３１】
商用電源３７０からの交流電力は、整流部１１１で整流され、ＤＣ−ＤＣコンバータ部１１２に供給され、ＤＣ−ＤＣコンバータ部１１２で直流電源電圧に変換される。ＤＣ−ＤＣコンバータ部１１２は、制御部１１７からの指示出力に応じて、ＤＣ−ＤＣコンバータ部１１２からの直流電源電圧を切り替えて出力するように制御し、送電電力生成増幅部１１５内の増幅部１１４の電源として供給する。
【００３２】
送電電力生成増幅部１１５内の共振周波数発生部１１３は、磁界共鳴結合型無線給電の共振周波数を有するクロック信号を生成し、増幅部１１４に出力する。増幅部１１４は、共振周波数発生部１１３からのクロック信号をＤＣ−ＤＣコンバータ部１１２からの直流電源電圧に応じて増幅し、送電電力として送電コイル１１６に供給する。
【００３３】
制御部１１７は、ＣＰＵ１１７ｃとＲＡＭ１１７ｒとを備える。ＣＰＵ１１７ｃが、メモリ部１１８に記憶されているプログラムを、ＲＡＭ１１７ｒにロードして実行することによって、非接触送電装置１００内の各部を制御する。制御においては、予めメモリ部１１８に記憶されたデータ、バス１２９を介して各検知部や他の構成部から得た信号を用いる。
【００３４】
例えば、制御部１１７は、照明点灯検知部３０１、人感センサ部３０２、ユーザ認証センサ部３０３、水センサ部３０４、ドア開閉ロック検知部３０５、表示操作入力部１２１、音声入出力処理部１２４、近距離無線通信部１２３からの入出力信号に応じて、メモリ部１１８に記憶保存されている情報を用いながら、非接触送電装置１００での送電動作を制御する。制御部１１７による制御の詳細は、後述する。
【００３５】
メモリ部１１８は、フラッシュメモリなどであり、制御部１１７が使用するプログラムや、表示操作入力部１２１で設定入力される各種情報等を記憶する。記憶される各種情報は、例えば、設置されたバブル生成器２２０が非接触送電装置１００からの無線給電対象の装置であることを示す受電装置認識情報（識別情報）やユーザの個人認証で生成された個人認証情報などである。これらは、後述する他の実施形態で用いられる。
【００３６】
表示操作入力部１２１は、液晶パネルなどで構成され、非接触送電装置１００の動作状態を表示する。表示される動作状態には、例えば、電源ＯＮ／ＯＦＦや送電電力のパワーモードなどが含まれる。また、液晶パネルの表示面を介して、ユーザによる入力を受け付ける。受け付ける入力には、例えば、非接触送電装置の電源投入などの操作入力や、受電装置認識情報や個人認証情報等の事前登録入力などがある。
【００３７】
近距離無線通信部１２３は、制御部１１７によって制御されて、近距離無線通信が可能な範囲にあるバブル生成器２２０と情報の送受信を行う。なお、近距離無線通信は、例えば、電子タグを用いて行われる。しかしながら、これに限定されず、近距離の無線通信の各種の方式、手法を用いることができる。例えば、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、Ｚｉｇｂｅｅ（登録商標）、ＨｏｍｅＲＦ（Ｈｏｍｅ  Ｒａｄｉｏ  Ｆｒｅｑｕｅｎｃｙ、登録商標）、または、無線ＬＡＮ（ＩＥＥＥ８０２．１１ａ、ＩＥＥＥ８０２．１１ｂ、ＩＥＥＥ８０２．１１ｇ）等を用いてもよい。
【００３８】
音声入出力処理部１２４は、非接触送電装置１００に入力される、または、非接触送電装置１００から出力される音声の処理を行う。例えば、外部の音声を入力するマイク、外部に対して音声を出力するスピーカを備える。本実施形態では、制御部１１７からの指示に従って、各種アラームを音声で出力する。
【００３９】
［非接触受電装置（バブル生成器）］
次に、非接触受電装置２００であるバブル生成器２２０の構成を説明する。図２に示すように、本実施形態のバブル生成器２２０は、受電コイル２１６と、整流部２１１と、直流電圧電流供給部２１２と、バッテリ残量検出部２１３と、バッテリ２１４と、機能部２１５と、制御部２１７と、メモリ部２１８と、表示操作入力部２２１と、近距離無線通信部２２３と、音声入出力処理部２２４と、を備える。近距離無線通信部２２３は、通信部２２２と送受信アンテナ２２５とを備える。各部は、受電コイル２１６と、整流部２１１と、バッテリ２１４とを除き、それぞれ、バス２２９を介して相互に接続される。
【００４０】
バブル生成器２２０では、送電コイル１１６からの送電電力を受電コイル２１６で受電し、整流部２１１で整流して直流とし、直流電圧電流供給部２１２で電圧を安定化するとともに受電電力に応じた出力電流をバッテリ２１４に供給し、バッテリ２１４を充電する。
【００４１】
機能部２１５は、バッテリ２１４から供給された電源を用いて、水中でバブルを発生する。
【００４２】
制御部２１７は、ＣＰＵ２１７ｃとＲＡＭ２１７ｒとを備える。ＣＰＵ２１７ｃが、メモリ部２１８に記憶した動作プログラムを、ＲＡＭ２１７ｒにロードして実行することによって、各部を制御し、各種の処理を行う。
【００４３】
メモリ部２１８は、フラッシュメモリなどであり、制御部２１７が使用する各種プログラムや、表示操作入力部２２１で設定入力される受電装置認識情報などの情報を記憶保存する。
【００４４】
表示操作入力部２２１は、液晶パネルなどで構成され、バブル生成器２２０の動作状態を表示する。表示される動作状態には、電源ＯＮ／ＯＦＦなどが含まれる。また、液晶パネルの表示面を介して、ユーザによる入力を受け付ける。受け付ける入力には、例えば、バブル生成器２２０の電源投入などの操作入力や、受電装置認識情報等の事前登録入力などがある。
【００４５】
近距離無線通信部２２３は、近距離無線通信部１２３と同様の構成を有する。制御部２１７によって制御されて、近距離無線通信が可能な範囲にある非接触送電装置１００と受電装置認識情報などの情報の送受信を行う。
【００４６】
バッテリ残量検出部２１３は、バッテリ２１４の残量を検出してバッテリ残量検出信号を生成する。制御部２１７は、近距離無線通信部２２３を経由してバッテリ残量検出信号を非接触送電装置１００に送信する。非接触送電装置１００では、近距離無線通信部２２３を介してバッテリ残量検出信号を受信し、受信されたバッテリ残量検出信号に応じて送電電力を制御する。
【００４７】
バッテリ残量検出信号は、例えば、検出される毎に、非接触送電装置１００に送信されてもよいし、予め定めた残量となった場合、非接触送電装置１００に送信されてもよい。例えば、バッテリ２１４がフル充電された場合、予め定めた閾値となった場合等である。
【００４８】
［機能ブロック］
非接触送電装置１００の制御部１１７の機能を説明する。本実施形態では、非接触送電装置１００の周囲に人３９０が存在する可能性が高い場合、送電電力の生成を開始させる。すなわち、このような周囲環境に、非接触送電装置１００が配置されていると判断される場合、送電電力の生成を開始させる。
【００４９】
具体的には、本実施形態の制御部１１７は、人３９０が浴室３３０内にいることを検出すると、送電電力生成部１２０に送電電力の生成開始を指示する。また、近距離無線通信部１２３を介してフル充電信号を受信すると、送電電力生成部１２０に送電電力の生成停止を指示する。
【００５０】
これを実現するため、本実施形態の制御部１１７は、図３に示すように、本実施形態の制御部１１７は、信号受信部４１０と、人検出部４２０と、送電電力生成指示部４３１と、送電電力生成停止指示部４３２と、を備える。
【００５１】
信号受信部４１０は、各検知部から信号を受信し、制御部１１７の各機能に出力する。本実施形態では、人感センサ部３０２からの人感検知信号を、人検出部４２０に出力する。また、本実施形態では、近距離無線通信部１２３を介して、バブル生成器２２０からバッテリ残量検出信号を受信すると、送電電力生成停止指示部４３２に出力する。
【００５２】
人検出部４２０は、各検知部からの信号を受信し、浴室３３０内の人３９０の有無（在、不在）を検出（判別）する。本実施形態では、人感センサ部３０２からの人感検知信号を受信すると、浴室３３０内に人３９０がいると判別する。人３９０がいると判別した場合、送電電力生成指示部４３１に送電電力の生成を開始させる。
【００５３】
送電電力生成指示部４３１は、人検出部から在検出信号を受信すると、送電電力生成部１２０に送電電力生成の指示を行う。本実施形態では、ＤＣ−ＤＣコンバータ部１１２に、予め定めた直流電源電圧で出力するよう指示を出す。また、増幅部１１４に、予め定めた増幅率で共振周波数発生部１１３から出力されるクロック信号を増幅し、送電コイル１１６に提供する。
【００５４】
送電電力生成停止指示部４３２は、送電電力生成部１２０に対し、送電電力生成の停止の指示を行う。本実施形態では、信号受信部４１０を介して、バッテリ２１４がフル充電されたことを意味するバッテリ残量検出信号を受信した場合、停止の指示を行う。
【００５５】
［送電電力生成処理］
以下、本実施形態の制御部１１７による送電電力生成処理の流れを説明する。図４は、本実施形態の送電電力生成処理の処理フローである。送電電力生成処理は、非接触送電装置１００が起動されたことを契機に開始する。
【００５６】
また、バッテリ残量検出信号は、バッテリ残量を検出する毎に送信されるのではなく、バッテリ２１４がフル充電された場合、非接触送電装置１００に送信されるものとする。このため、ここでは、送電電力の供給を受けた際の、バブル生成器２２０側の処理も併せて説明する。
【００５７】
人検出部４２０は、浴室３３０内で、人３９０が検出されたか否かを判別する（ステップＳ１１０１）。本実施形態では、信号受信部４１０を介して人感検知信号を受信したか否かを判別する。受信していない場合は、そのまま待機し、人感検知信号のモニタを継続する。
【００５８】
一方、人３９０が検出された場合（ステップＳ１１０１；Ｙｅｓ）、すなわち、在検出信号を受信した場合、人検出部４２０は、送電電力生成指示部４３１に、在検出信号を送信し、送信電力生成開始の指示を行う。
【００５９】
在検出信号を受け、送電電力生成指示部４３１は、送電電力生成部１２０に送電電力生成を開始させる（ステップＳ１１０２）。生成された送電電電力は、送電コイル１１６を介してバブル生成器２２０に送信される。すなわち、送電コイル１１６は、送電電力の送信を開始する（ステップＳ１１０３）。
【００６０】
バブル生成器２２０側では、受電コイル２１６が、送電電力の受電を開始する（ステップＳ１２０１）。そして、制御部２１７は、受電した電力で、バッテリ２１４の充電を開始する（ステップＳ１２０２）。
【００６１】
充電中、バッテリ残量検出部２１３は、バッテリ２１４の充電状況をモニタする。そして、バッテリ２１４がフル充電された場合（ステップＳ１２０３）、バッテリ残量検出信号として、バッテリがフル充電されたことを示す、充電完了信号を送信する（ステップＳ１２０４）。
【００６２】
信号受信部４１０は、近距離無線通信部１２３を介して、充電完了信号を受信すると（ステップＳ１１０４）、送電電力生成停止指示部４３２に送信する。それを受け、送電電力生成停止指示部４３２は、送電電力生成部１２０に対し、送電電力生成停止の指示を行い（ステップＳ１１０５）、処理を終了する。
【００６３】
以上説明したように、本実施形態によれば、浴室３３０内に人３９０がいる可能性が高いと判断された場合のみ、非接触送電装置１００を稼働させ、非接触受電装置２００であるバブル生成器２２０に電力を送電する。すなわち、非接触送電装置１００の近傍に人３９０がいる可能性が高い場合のみ、送電を行う。
【００６４】
従って、本実施形態によれば、人３９０が、非接触送電装置１００が電力を生成して送電する前に、周囲の環境を確認することができる。このように、監視者が近傍にいる可能性が高い場合のみ非接触送電装置１００が稼働することになり、異物や想定外の対象が充電されることを防ぐことができる。すなわち、異物や想定外のものが充電され、発熱したり発火したりすることを防ぐことができる。なお、想定外の異物には、例えば、ＩＣカード等がある。
【００６５】
また、人３９０は、浴室３３０内で使用する非接触受電装置２００側の状態も確認することができる。従って、例えば、非接触受電装置２００を、浴室３３０のような水回り環境で使用する際、その防水絶縁性能が劣化しているか否かも、給電前に確認できる。従って、本実施形態によれば、安全性の高い非接触送受電システム１０１を提供できる。
【００６６】
また、本実施形態によれば、バブル生成器２２０の機能部２１５の動作に関わらず、無線給電によるバッテリ２１４への受電を行うことができる。充電動作が開始された後、バブル生成器２２０の機能部２１５の動作が停止されても、充電動作が完了するまで充電動作が継続される。従って、常にバッテリ２１４がフル充電状態から機能部２１５の動作を開始することが可能となり、利便性の更なる向上を図ることができる。
【００６７】
また、浴室３３０内で充電しながら、バブル生成器２２０の機能部２１５の動作を使用し続けることが可能である。バブル生成器２２０において、バッテリ２１４の残量不足が生じることはなく、バブル生成器２２０の機能動作を、浴室３３０内に居る間は絶え間なく長時間にわたって使用することができる。従って、本実施形態によれば、安全性を確保しつつ、使い勝手のよい非接触送受電システム１０１を実現できる。
【００６８】
なお、制御部１１７は、送電開始から、時刻を計測し、所定期間経過しても充電完了信号を受信しない場合も、送電電力生成を停止させてもよい。これにより、非接触受電装置２００側のバッテリ残量検出機能に不具合があった場合でも、過剰な充電を防ぐことができ、より安全性の高い非接触送受電システム１０１を提供できる。
【００６９】
また、制御部１１７は、バブル生成器２２０から充電完了信号を受信し、送電電力の生成を停止させる場合、充電が完了したことを通知するよう構成してもよい。通知は、例えば、非接触送電装置１００および非接触受電装置２００の少なくとも一方の、表示操作入力部１２１、２２１への表示、および／または、音声入出力処理部１２４、２２４からの音声出力等により行う。
【００７０】
＜変形例１＞
また、上記実施形態では、開始時に人３９０の有無を検出し、その後は、人３９０が不在になったとしても、バッテリ２１４がフル充電されるまで、送電を続ける。しかしながら、これに限定されない。例えば、送電開始後、常に非接触送電装置１００の近傍の人３９０の有無を監視し、人３９０がいない可能性が高い場合、送電を停止するよう構成してもよい。
【００７１】
この変形例の各部の機能、処理の流れを、以下に説明する。
【００７２】
この変形例では、人検出部４２０は、さらに、所定期間、人感検知信号を受信しないと、浴室３３０内に人３９０はいないと判別する。そして、送電電力生成停止指示部４３２に対し、不在検出信号を出力する。
【００７３】
これに伴い、送電電力生成停止指示部４３２は、人検出部４２０から不在検出信号を受信した場合も、停止の指示を行う。
【００７４】
本変形例の制御部１１７による送電電力生成処理の流れを、図５を用いて説明する。なお、本処理フローにおいて、図４で説明した上記実施形態と同じ処理には同じ符号を付し、再度の説明は省略する。本変形例においても、送電電力生成処理は、非接触送電装置１００が起動されたことを契機に開始する。また、バッテリ残量検出信号は、バッテリ２１４がフル充電された場合、非接触送電装置１００に送信されるものとする。
【００７５】
送電を開始するまでの処理の流れ（ステップＳ１１０１〜Ｓ１１０３）および、バブル生成器２２０側での処理（ステップＳ１２０１〜１２０４）は、上記実施形態と同様である。
【００７６】
送電開始後、人検出部４２０は、人感センサ部３０２からの人感検知信号の受信を監視する（ステップＳ１１１１）。そして、人感検知信号を受信していない場合、受信しない状態で、所定の期間が経過したか否かを判別する（ステップＳ１１１２）。所定の時間を経過していない場合は、人感検知信号の監視を継続する。一方、所定の時間を経過した場合、送電電力生成停止指示部４３２に不在信号を出力し、ステップＳ１１０５へ移行する。
【００７７】
このように、本変形例によれば、送電開始後、非接触送電装置１００の近傍における人３９０の有無を常に監視し、人３９０がいない可能性が高まった場合、送電を停止する。これにより、ユーザの目の届く状態で安全性を監視しつつバブル生成器２２０への無線給電を行うことができる。そして、非接触送電装置１００による送電を監視する人３９０がいない場合送電を停止するため、より、安全性の高い非接触送受電システムを実現できる。
【００７８】
＜変形例２＞
なお、上記実施形態では、浴室３３０内の人３９０の有無を、人感センサ部３０２により検出している。しかしながら、人３９０の有無の検出は、これに限定されない。浴室３３０内の人３９０の有無を、例えば、浴室用照明３６０の点灯により判別してもよい。すなわち、浴室用照明３６０が点灯された場合、浴室３３０内に人３９０がいると判断する。
【００７９】
この場合、信号受信部４１０は、照明点灯検知部３０１から照明点灯検知信号を受信すると、人検出部４２０に出力する。また、人検出部４２０は、信号受信部４１０を介して照明点灯検知信号を受信すると、浴室３３０内に人３９０がいると判別する。そして、送電電力生成指示部４３１に、送電電力の生成を開始させる。
【００８０】
本変形例の送電電力生成処理の流れを、図６に示す。本図においても、上記実施形態と同じ処理については、同じ符号を付し、再度の説明は、省略する。また、送電電力生成処理は、非接触送電装置１００が起動されたことを契機に開始する。そして、バッテリ残量検出信号は、バッテリ２１４がフル充電された場合、非接触送電装置１００に送信されるものとする。
【００８１】
本変形例では、上記実施形態の送電電力生成処理の、ステップＳ１１０１の代わりに、ステップＳ１１２１を備える。ステップＳ１１２１においては、人検出部４２０が、浴室３３０内で人３９０が検出されたか否かを、信号受信部４１０を介して照明点灯検知信号を受信したか否かにより検出する。その他の処理は、上記実施形態と同じである。
【００８２】
本変形例によれば、浴室用照明３６０が点灯された場合、浴室３３０内に人３９０がいると判断し、非接触送電装置１００を稼働させる。上記実施形態同様、非接触送電装置１００の近傍に人３９０がいる可能性が高い状態で非接触送電装置１００を稼働させるため、安全性の高い非接触送受電システム１０１を提供できる。浴室３３０内の環境によっては、人感センサ部３０２より照度センサを用いる照明点灯検知部３０１の方が、感度よく検出できる場合がある。このような場合、本変形例は、有効である。
【００８３】
なお、本変形例においても、上記変形例１と同様に、送電開始後も、照明点灯検知信号の監視を継続し、所定期間、照明点灯検知信号を受信しない場合、浴室３３０内に人３９０がいないと判断し、送電を停止させるよう制御してもよい。
【００８４】
＜変形例３＞
また、浴室３３０内の人３９０の有無を、例えば、浴室用照明３６０の点灯と、浴室ドア３３２の開閉操作の有無とにより判別してもよい。すなわち、浴室用照明３６０が点灯され、かつ、浴室ドア３３２に対する開閉操作が有る場合、浴室３３０内に人３９０がいると判断する。
【００８５】
この場合、信号受信部４１０は、照明点灯検知部３０１から照明点灯検知信号を受信すると、人検出部４２０に出力する。また、ドア開閉ロック検知部３０５からドア開閉検知信号を受信すると、人検出部４２０に出力する。
【００８６】
人検出部４２０は、信号受信部４１０を介して照明点灯検知信号およびドア開閉検知信号を受信すると、浴室３３０内に人３９０がいると判別する。そして、送電電力生成指示部４３１に、送電電力の生成を開始させる。
【００８７】
本変形例の送電電力生成処理の流れを、図７に示す。本図においても、上記実施形態と同じ処理については、同じ符号を付し、再度の説明は、省略する。また、送電電力生成処理は、非接触送電装置１００が起動されたことを契機に開始する。そして、バッテリ残量検出信号は、バッテリ２１４がフル充電された場合、非接触送電装置１００に送信されるものとする。
【００８８】
本変形例では、上記実施形態の送電電力生成処理の、ステップＳ１１０１の代わりに、ステップＳ１１３１およびステップＳ１１３２を備える。
【００８９】
まず、人検出部４２０は、信号受信部４１０を介して照明点灯検知信号を受信したか否かを判別する（ステップＳ１１３１）。受信していない場合は、人検出部４２０は、照明点灯検知信号の監視を継続する。
【００９０】
一方、ステップＳ１１３１において、照明点灯検知信号を受信した場合、人検出部４２０は、信号受信部４１０を介して、ドア開閉検知信号を受信したか否かを判別する（ステップＳ１１３２）。受信していない場合は、ステップＳ１１３１に戻り、検知信号の監視を継続する。
【００９１】
一方、ステップＳ１１３２において、ドア開閉検知信号を受信した場合、人検出部４２０は、浴室３３０内に人３９０がいると判別し、ステップＳ１１０２へ移行する。以後の処理は、上記実施形態と同じである。
【００９２】
なお、照明点灯検知信号を受信したか否かの判別と、ドア開閉検知信号を受信したか否かの判別とは、いずれを先に行ってもよい。
【００９３】
本変形例によれば、浴室用照明３６０が点灯され、かつ、浴室ドア３３２の開閉操作がなされた場合、浴室３３０内に人３９０がいると判断し、非接触送電装置１００を稼働させる。上記実施形態同様、非接触送電装置１００の近傍に人３９０がいる可能性が高い状態で非接触送電装置１００を稼働させるため、安全性の高い非接触送受電システム１０１を提供できる。
【００９４】
本実施形態では、浴室ドア３３２の開閉操作も判断に加えているため、より精度よく浴室３３０内の人３９０の有無を判別できる。
【００９５】
なお、本変形例においても、上記変形例１と同様に、送電開始後も、照明点灯検知信号の監視を継続し、所定期間、照明点灯検知信号を受信しない場合、浴室３３０内に人３９０がいないと判断し、送電を停止させるよう制御してもよい。
【００９６】
また、本変形例においては、送電開始後、ドア開閉検知信号の監視を行い、再度、ドア開閉検知信号を受信した場合、人３９０が浴室３３０から出たと判断し、送電を停止させるよう制御してもよい。
【００９７】
＜変形例４＞
なお、変形例３に、さらに、人感センサ部３０２による検出も加えてもよい。すなわち、人検出部４２０は、信号受信部４１０を介して、照明点灯検知信号、ドア開閉検知信号および人感検知信号を受信すると、浴室３３０内に人３９０がいると判別する。そして、送電電力生成指示部４３１に、送電電力の生成を開始させる。
【００９８】
本変形例の送電電力生成処理の流れを、図８に示す。本図においても、上記実施形態と同じ処理については、同じ符号を付し、再度の説明は、省略する。また、送電電力生成処理は、非接触送電装置１００が起動されたことを契機に開始する。そして、バッテリ残量検出信号は、バッテリ２１４がフル充電された場合、非接触送電装置１００に送信されるものとする。
【００９９】
本変形例では、上記実施形態の送電電力生成処理の、ステップＳ１１０１の代わりに、ステップＳ１１４１、ステップＳ１１４２およびステップＳ１１４３を備える。
【０１００】
まず、人検出部４２０は、信号受信部４１０を介して照明点灯検知信号を受信したか否かを判別する（ステップＳ１１４１）。受信していない場合は、人検出部４２０は、照明点灯検知信号の監視を継続する。
【０１０１】
一方、ステップＳ１１４１において、照明点灯検知信号を受信した場合、人検出部４２０は、信号受信部４１０を介して、ドア開閉検知信号を受信したか否かを判別する（ステップＳ１１４２）。受信していない場合は、ステップＳ１１４１に戻り、検知信号の監視を継続する。
【０１０２】
一方、ステップＳ１１４２において、ドア開閉検知信号を受信した場合、人検出部４２０は、信号受信部４１０を介して、人感検知信号を受信したか否かを判別する（ステップＳ１１４３）。受信していない場合は、ステップＳ１１４１に戻り、検知信号の監視を継続する。
【０１０３】
一方、ステップＳ１１４３において、人感検知信号を受信した場合、人検出部４２０は、浴室３３０内に人３９０がいると判別し、ステップＳ１１０２へ移行する。以後の処理は、上記実施形態と同じである。
【０１０４】
なお、照明点灯検知信号を受信したか否かの判別と、ドア開閉検知信号を受信したか否かの判別と、人感検知信号を受信した否かの判別との処理順は問わない。
【０１０５】
本変形例によれば、浴室用照明３６０が点灯され、浴室ドア３３２の開閉操作がなされ、かつ、人感検知信号を受信した場合、浴室３３０内に人３９０がいると判断し、非接触送電装置１００を稼働させる。すなわち、３種の異なるセンサによる出力を用いて、浴室３３０内の人３９０の有無を判断している。従って、浴室３３０の環境によらず、高い確度で人３９０の有無を検出できる。
【０１０６】
その結果、上記実施形態同様、非接触送電装置１００の近傍に人がいる可能性が高い状態で非接触送電装置１００を稼働させるため、安全性の高い非接触送受電システム１０１を提供できる。
【０１０７】
なお、本変形例においては、ドア開閉検知信号受信の有無を判別に用いなくてもよい。すなわち、照明点灯検知信号と人感検知信号とを受信した場合、浴室３３０内に人３９０がいると判別するよう構成してもよい。
【０１０８】
なお、本変形例においても、上記各変形例と同様に、送電開始後も、照明点灯検知信号および人感検知信号の少なくとも１つの監視を継続し、所定期間、監視対象の検知信号を受信しない場合、浴室３３０内に人３９０がいないと判断し、送電を停止させるよう制御してもよい。
【０１０９】
また、本変形例においても、送電開始後、ドア開閉検知信号の監視を行い、再度、ドア開閉検知信号を受信した場合、人３９０が浴室３３０から出たと判断し、送電を停止させるよう制御してもよい。
【０１１０】
＜変形例５＞
また、浴室３３０内の人３９０の有無を、ドア開閉ロック検知部３０５が出力する施錠検知信号および解錠検知信号により判別してもよい。
【０１１１】
通常、浴室３３０で施錠がなされるのは、人３９０が中に入った場合である。また、浴室３３０が施錠後、解錠されるのは、浴室３３０内にいた人３９０が浴室３３０から出た場合である。従って、本変形例では、これを利用し、浴室３３０内の人３９０の有無を判別する。
【０１１２】
この場合、信号受信部４１０は、ドア開閉ロック検知部３０５から施錠検知信号を受信すると人検出部４２０に出力する。また、解錠検知信号を受信すると、送電電力生成停止指示部４３２に出力する。
【０１１３】
人検出部４２０は、信号受信部４１０を介して施錠検知信号を受信すると、浴室３３０内に人３９０がいると判別する。そして、送電電力生成指示部４３１に、送電電力の生成開始を指示させる。
【０１１４】
また、送電電力生成停止指示部４３２は、送電電力生成中に、信号受信部４１０を介して解錠検知信号を受信すると、送電電力生成部１２０に送電電力の生成を停止させる。
【０１１５】
本変形例の送電電力生成処理の流れを、図９に示す。本図においても、上記実施形態と同じ処理については、同じ符号を付し、再度の説明は、省略する。また、送電電力生成処理は、非接触送電装置１００が起動されたことを契機に開始する。そして、バッテリ残量検出信号は、バッテリ２１４がフル充電された場合、非接触送電装置１００に送信されるものとする。
【０１１６】
本変形例では、上記実施形態の送電電力生成の、ステップＳ１１０１の代わりに、ステップＳ１１５１を備える。
【０１１７】
すなわち、人検出部４２０は、信号受信部４１０を介して、施錠検知信号を受信したか否かを判別する（ステップＳ１１５１）。受信していない場合は、人検出部４２０は、施錠検知信号の監視を継続する。
【０１１８】
一方、ステップＳ１１５１において、施錠検知信号を受信した場合、人検出部４２０は、浴室３３０内に人３９０がいると判別し、ステップＳ１１０２へ移行する。
【０１１９】
また、本変形例では、送電開始後、送電電力生成停止指示部４３２が、解錠検知信号の監視を行う（ステップＳ１１５２）。そして、解錠検知信号を受信した場合、ステップＳ１１０５へ移行し、送電電力生成部１２０に、送電電力の生成を停止させる。
【０１２０】
なお、本変形例においても、一旦、送電電力の生成を開始した場合、人３９０が浴室３３０内からいなくなっても、充電が完了するまで送電を継続するよう構成してもよい。この場合は、ステップＳ１１５２の処理は行わなくてもよい。
【０１２１】
＜＜第二の実施形態＞＞
次に、本発明の第二の実施形態を説明する。本実施形態では、浴室３３０内の人３９０の有無によらず、非接触送電装置１００は、バブル生成器２２０への充電を行う。ただし、浴室３３０内の人３９０の有無により、充電時のパワーを変化させる。すなわち、浴室３３０内に人３９０がいると判断された場合は、人３９０がいないと判断された場合に比べ、ローパワーで送電を行う。
【０１２２】
このように、本実施形態では、非接触送電装置１００が、近傍に人３９０がいる環境に配置された場合と、人３９０がいない環境に配置された場合により、生成する送電電力のパワーを変化させる。これにより、本実施形態では、安全性を向上させる。
【０１２３】
本実施形態の非接触送受電システム１０１の構成は、基本的に第一の実施形態と同様である。以下、第一の実施形態と異なる構成に主眼をおいて説明する。なお、本実施形態においても、非接触受電装置２００として、浴室３３０の浴槽３５０内に配置されたバブル生成器２２０を用いる場合を例にあげて説明する。
【０１２４】
また、本実施形態では、送電電力生成部１２０は、二段階のパワーで送電電力を生成可能なものとする。パワーの高い方の送電電力を、ハイパワー送電電力、パワーの低い方の送電電力を、ローパワー送電電力と呼ぶ。
【０１２５】
各パワーの送電電力は、制御部１１７からの指示により、ＤＣ−ＤＣコンバータ部１１２から増幅部１１４に出力する直流電圧を変化させることで得る。
【０１２６】
すなわち、本実施形態では、制御部１１７からハイパワー送電電力の生成の指示を受けると、送電電力生成部１２０は、ローパワー送電電力の生成の指示を受けた場合に比べ、より高い直流電圧を、ＤＣ−ＤＣコンバータ部１１２から増幅部１１４に出力させる。各パワーに対応する出力直流電圧は、予め定め、メモリ部１１８等に記憶しておく。
【０１２７】
［機能ブロック］
図１０は、本実施形態の非接触送電装置１００の、制御部１１７の機能ブロック図である。本図に示すように、本実施形態の制御部１１７は、第一の実施形態の構成に加え、パワー決定部４４０を備える。
【０１２８】
本実施形態の送電電力生成指示部４３１は、パワー決定部４４０が決定した電力で、送電電力を生成するよう送電電力生成部１２０に指示を出す。なお、非接触送電装置１００が起動された時点では、予め定めたパワーで送電電力生成部１２０に送電電力の生成を開始させる。以下、本実施形態では、初期時のパワーをハイパワーとする場合を例にあげて説明する。
【０１２９】
パワー決定部４４０は、送電電力の生成が開始された後、人検出部４２０による検出結果に応じてパワーを決定し、送電電力生成指示部４３１に出力する。
【０１３０】
本実施形態では、人検出部４２０により、浴室３３０内に人３９０有り、と検出された場合、ローパワーと決定する。一方、人３９０が検出されない場合は、ハイパワーと決定する。
【０１３１】
なお、人検出部４２０による人３９０の検出は、第一の実施形態およびその変形例で説明した、いずれの手法を用いてもよい。
【０１３２】
［送電電力生成処理］
以下、本実施形態の制御部１１７による送電電力生成処理の流れを説明する。図１１は、本実施形態の送電電力生成処理の処理フローである。送電電力生成処理は、非接触送電装置１００が起動されたことを契機に開始する。また、バッテリ残量検出信号は、バッテリ残量を検出する毎に送信されるのではなく、バッテリ２１４がフル充電された場合、非接触送電装置１００に送信されるものとする。
【０１３３】
送電電力生成指示部４３１は、非接触送電装置１００が起動されたことを検知すると、まず、送電電力生成部１２０にハイパワー送電電力を生成させる（ステップＳ２１０１）。
【０１３４】
送電電力の生成開始後、人検出部４２０は、浴室３３０内で、人３９０が検出されたか否かを判別する（ステップＳ２１０２）。そして、判別結果を、パワー決定部４４０に出力する。
【０１３５】
人３９０が検出されない場合、パワー決定部４４０は、生成する送電電力をハイパワー送電電力と決定し、送電電力生成指示部４３１に指示を行う。これを受け、送電電力生成指示部４３１は、送電電力生成部１２０にハイパワー送電電力を生成させる（ステップＳ２１０３）。
【０１３６】
一方、人３９０が検出された場合、パワー決定部４４０は、生成する送電電力をローパワー送電電力と決定し、送電電力生成指示部４３１に指示を行う。これを受け、送電電力生成指示部４３１は、送電電力生成部１２０にローパワー送電電力を生成させる（ステップＳ２１０４）。
【０１３７】
送電電力生成停止指示部４３２は、非接触送電装置１００を停止させる指示、あるいは、送電電力の生成を停止させる指示を受け取ったか否かを判別する（ステップＳ２１０５）。これらの指示を受け取っている場合、送電電力生成部１２０に送電電力の生成を停止させ（ステップＳ２１０８）、処理を終了する。
【０１３８】
なお、非接触送電装置１００を停止させる指示および送電電力の生成を停止させる指示は、例えば、表示操作入力部１２１で受け付ける。送電電力生成停止指示部４３２は、これらの指示を、信号受信部４１０を介して受信する。
【０１３９】
ステップＳ２１０５において、停止の指示を受け取っていない場合、送電電力生成停止指示部４３２は、バブル生成器２２０から充電完了信号を受信したか否かを判別する（ステップＳ２１０６）。充電完了信号を受信している場合は、ステップＳ２１０８へ移行する。
【０１４０】
一方、充電完了信号を受信していない場合は、パワー決定部４４０は、ステップＳ２１０２へ戻り、処理を継続する。
【０１４１】
以上説明したように、本実施形態によれば、非接触送電装置１００において、通常は、ハイパワーで送電電力を生成し、非接触受電装置２００に供給する。この場合、非接触受電装置２００では、バッテリ２１４は、高速に充電される。
【０１４２】
一方、非接触送電装置１００の近傍に人３９０がいる場合は、ローパワーで送電電力を生成し、供給する。これにより、ハイパワー電力に対する人体への曝露を低減させ、浴室３３０内での非接触送受電システム１０１利用に際して人体の安全性を向上させることができる。
【０１４３】
このように、本実施形態によれば、効率と安全性とが両立した非接触送受電システム１０１を実現できる。
【０１４４】
なお、ハイパワーで送電電力を生成している間、制御部１１７は、ハイパワーで送電電力を生成し、送信していることを示す出力を行うよう構成してもよい。出力は、例えば、非接触送電装置１００および非接触受電装置２００の少なくとも一方の、表示操作入力部１２１、２２１への表示、および／または、音声入出力処理部１２４、２２４からの音声出力等により行う。
【０１４５】
なお、ローパワーで送電電力を生成している間も、同様に、ローパワーで送電電力を生成し、送信していることを示す出力を行うよう構成してもよい。
【０１４６】
なお、上記実施形態において、起動時、ローパワーで送電電力を生成させ、その後、人３９０が検出されない場合、ハイパワーで送電電力を生成させるよう制御してもよい。
【０１４７】
＜＜第三の実施形態＞＞
次に、本発明の第三の実施形態を説明する。本実施形態においても、第二の実施形態同様、浴室３３０内の人の有無にかかわらず、送電を行う。本実施形態では、非接触受電装置２００であるバブル生成器２２０の周囲環境に応じて送電電力のパワーを変化させる。本実施形態では、人の在、不在は問わない。
【０１４８】
バブル生成器２２０は、無線給電に伴って、内部で発熱し、動作効率が低下したり、受電電力が制限されたりすることがある。本実施形態では、これに鑑み、バブル生成器２２０の、配置された環境の、バブル生成器２２０に対する冷却能力（冷却環境）に応じて、非接触送電装置１００が生成する送電電力のパワーを変化させる。
【０１４９】
具体的には、バブル生成器２２０が、浴槽３５０内の水に浸っていない場合、最も低いパワー（第一パワー）の送電電力を生成し、バブル生成器２２０に供給する。また、バブル生成器２２０が浴槽３５０の水に浸っている場合は、水温に応じて生成、供給する電力のパワーを変化させる。例えば、水温が、予め定めた水温閾値未満の場合、最も高いパワー（第三パワー）の送電電力を生成し、供給する。一方、水温が水温閾値以上の場合は、第一パワーと第三パワーとの間のパワー（第二パワー）の送電電力を生成し、バブル生成器２２０に供給する。
【０１５０】
なお、以下、本実施形態では、上述のように、第一パワーが第二パワーより低いものとして説明するが、両者の高低は、これに限定されない。気温と水温とによって、第二パワーを第一パワーより低く設定してもよい。
【０１５１】
以下、本実施形態について、第一の実施形態と異なる構成に主眼をおいて説明する。
【０１５２】
［機能ブロック］
本実施形態の制御部１１７の機能ブロック図を図１２に示す。本図に示すように、本実施形態の制御部１１７は、信号受信部４１０と、送電電力生成指示部４３１と、送電電力生成停止指示部４３２と、パワー決定部４４０と、を備える。
【０１５３】
送電電力生成指示部４３１は、本実施形態の非接触送電装置１００が起動されると、パワー決定部４４０が決定した電力で、送電電力を生成するよう送電電力生成部１２０に指示を出す。
【０１５４】
パワー決定部４４０は、非接触受電装置２００であるバブル生成器２２０の配置状態に応じて、パワーを決定し、送電電力生成指示部４３１に出力する。
【０１５５】
本実施形態では、バブル生成器２２０が、水に浸されていない場合、送電電力のパワーを、最も低い、第一パワーに決定する。一方、バブル生成器２２０が水に浸されている場合、その水温が水温閾値未満である場合、最も高い、第三パワーに決定する。なお、水に浸されている場合であっても、水温が水温閾値以上である場合は、第一パワーと、第三パワーとの間の電力の、第二パワーに決定する。
【０１５６】
パワー決定部４４０は、バブル生成器２２０が、水に浸されているか否かは、水センサ部３０４からの水浸検知信号を受信したか否かにより判断する。水浸検知信号は、信号受信部４１０を介して受信する。
【０１５７】
なお、水センサが水位を検出し、水位を水位信号として出力する場合、パワー決定部４４０は、バブル生成器２２０の配置位置と、水位とを比較し、バブル生成器２２０が水に浸されているか否かを判別する。バブル生成器２２０の配置位置は、例えば、バブル生成器２２０のサイズデータ等により取得する。バブル生成器２２０のサイズデータは、予めメモリ部１１８等に保持しておく。
【０１５８】
また、水温は、水センサ部３０４からの水温検出信号を用いて判断する。水温検出信号も、信号受信部４１０を介して受信する。
【０１５９】
［送電電力生成処理］
以下、本実施形態の制御部１１７による送電電力生成処理の流れを説明する。図１３は、本実施形態の送電電力生成処理の処理フローである。本実施形態の送電電力生成処理は、非接触送電装置１００が起動されたことを契機に開始する。また、バッテリ残量検出信号は、バッテリ２１４がフル充電された場合、非接触送電装置１００に送信されるものとする。
【０１６０】
パワー決定部４４０は、水浸信号を受信したか否かを判別する（ステップＳ３１０１）。水浸信号を受信している場合、送電電力のパワーを第一のパワーと決定し、送電電力生成指示部４３１に通知する。
【０１６１】
送電電力生成指示部４３１は、通知を受け、送電電力生成部１２０に、第一のパワーで送電電力を生成させる（ステップＳ３１０３）。
【０１６２】
一方、水浸信号を受信していない場合は、パワー決定部４４０は、水温が水温閾値ＴＨ１以上であるかを判別する（ステップＳ３１０２）。水温閾値ＴＨ１以上の場合、送電電力のパワーを第二のパワーと決定し、送電電力生成指示部４３１に通知する。
【０１６３】
送電電力生成指示部４３１は、通知を受け、送電電力生成部１２０に、第二のパワーで送電電力を生成させる（ステップＳ３１０３）。
【０１６４】
一方、水温閾値ＴＨ１未満の場合、送電電力のパワーを第三のパワーと決定し、送電電力生成指示部４３１に通知する。
【０１６５】
送電電力生成指示部４３１は、通知を受け、送電電力生成部１２０に、第三のパワーで送電電力を生成させる（ステップＳ３１０３）。
【０１６６】
送電電力のパワーを決定後の処理は、第二の実施形態のステップＳ２１０５以降と同様である。すなわち、本実施形態の制御部１１７は、以上の処理を、停止の指示をうけるまで、あるいは、充電が完了するまで、継続する。
【０１６７】
以上説明したように、本実施形態によれば、浴槽３５０内の水温が低く、冷却性が高い環境にバブル生成器２２０が配置されている場合は、ハイパワー電力をバブル生成器２２０に送電してバブル生成器２２０のバッテリ２１４を充電させる。一方、水温が所定以上の高さである場合は、ハイパワー電力より低いパワーでバブル生成器２２０に送電する。さらに、バブル生成器２２０が水に浸っていない場合は、さらに、水に浸っている場合とは異なるパワーでバブル生成器２２０に送電する。
【０１６８】
これにより、本実施形態によれば、バブル生成器２２０が浸されている浴槽３５０内の水温に応じて放熱性を高め、バブル生成器２２０内の発熱を抑えつつ、冷却効率よくバブル生成器２２０のバッテリ２１４をより高速に充電できる。
【０１６９】
なお、上記実施形態では、水温閾値を１つのみ設定しているが、水温閾値は１つに限定されない。複数設定し、それぞれに応じて、水温が低いほど、低いパワーで送電するよう設定することにより、より細かく、段階的に送電電力を制御でき、冷却性能に応じた充電動作を一層最適化できる。
【０１７０】
なお、本実施形態は、第一の実施形態およびその変形例と組み合わせてもよい。
【０１７１】
＜＜第四の実施形態＞＞
次に、本発明の第四の実施形態を説明する。本実施形態では、事前に送電対象として登録された非接触受電装置２００に対してのみ送電する。すなわち、本実施形態では、非接触送電装置１００の周囲に、予め登録された非接触受電装置２００がある場合、非接触送電装置１００は、送電電力を生成する。
【０１７２】
以下、本実施形態について、第一の実施形態と異なる構成に主眼をおいて説明する。
【０１７３】
［機能ブロック］
本実施形態では、事前に送電電力の供給対象（給電対象）の非接触受電装置２００を登録する。これを実現する本実施形態の制御部１１７の機能ブロックを、図１４に示す。
【０１７４】
本図に示すように、本実施形態の制御部１１７は、事前情報登録部４５１と、照合部４５２と、送電電力生成指示部４３１と、送電電力生成停止指示部４３２と、を備える。
【０１７５】
事前情報登録部４５１は、給電を許可する非接触受電装置２００を予め登録する。本実施形態では、例えば、許可する非接触受電装置２００の識別情報（受電装置認識情報）を、取得し、メモリ部１１８に、登録情報４５９として記憶する。
【０１７６】
受電装置認識情報は、例えば、表示操作入力部１２１を介して、ユーザからの入力を受け付け、取得する。なお、近距離無線通信部１２３を介して、取得してもよい。
【０１７７】
照合部４５２は、送電電力の生成に先立ち、認証を行う。本実施形態では、非接触受電装置２００に対し、認識情報要求を生成して送信する。そして、返信された受電装置認識情報と、登録情報４５９として登録される受電装置認識情報とを照合し、認証を行う。両者が合致した場合、認証成功とし、不一致の場合、認証失敗とする。そして、認証結果を、送電電力生成指示部４３１に送信する。
【０１７８】
認証情報要求、認証情報の送受信は、近距離無線通信部１２３および近距離無線通信部２２３を介して行う。
【０１７９】
なお、登録情報４５９として取得する受電装置認識情報は、非接触受電装置２００側でも保持しておく。そして、非接触送電装置１００から、認識情報要求を受信した場合、要求元の非接触送電装置１００に返信する。
【０１８０】
本実施形態の制御部１１７による全体処理の流れを図１５に示す。
【０１８１】
本図に示すように、本実施形態では、まず、事前情報登録部４５１が事前登録処理を行う（ステップＳ４３０１）。そして、事前登録処理後、制御部１１７は、送電電力生成および送電処理を行う（ステップＳ４３０２）。この事前登録処理と、送電電力生成、送電処理とは、独立して行われる。
【０１８２】
［送電電力生成処理］
以下、事前登録処理を終えた本実施形態の制御部１１７による送電電力生成処理の流れを、図１６に沿って説明する。
【０１８３】
まず、照合部４５２は、認証情報要求を生成し、バブル生成器２２０に送信する（ステップＳ４１０１）。
【０１８４】
認証情報要求を受信した（ステップＳ４２０１）バブル生成器２２０は、自身が保持する受電装置認識情報を、認証情報として要求元の非接触送電装置１００に返信する（ステップＳ４２０２）。
【０１８５】
照合部４５２は、信号受信部４１０を介して、認証情報要求に応じた認証情報として受電装置認識情報の返信を受け付けると（ステップＳ４１０２）、認証を行う（ステップＳ４１０３）。ここで、認証に失敗した場合は、そのまま処理を終了する。
【０１８６】
なお、このとき、エラーメッセージを生成し、表示操作入力部１２１に表示させたり、音声入出力処理部１２４から出力させたりしてもよい。
【０１８７】
一方、認証に成功した場合、照合部４５２は、送電電力生成指示部４３１に認証成功を通知する。そして、通知を受け、送電電力生成指示部４３１は、送電電力生成部１２０に送電電力生成を開始させる（ステップＳ１１０２）。以降の処理は、第一の実施形態と同様である。
【０１８８】
以上説明したように、本実施形態によれば、事前登録された非接触受電装置２００に対してのみ、送電電力を供給する。従って、非接触送電装置１００から、対象外の非接触受電装置に送電することを防止できる。すなわち、予め登録された、非接触送電装置１００に適合した非接触受電装置２００にのみ非接触送電を行うことができる。このため、利用に際して使い勝手よく安全性の向上を図ることができる。
【０１８９】
なお、非接触送受電装置間の認証照合が正常に動作しているときに、非接触受電装置２００に対して予め把握しているより大きな電力が送電されている場合には、無線給電エリア内に金属性異物が存在して金属性異物にも無線給電している可能性がある。従って、非接触送電装置１００側で供給電力を監視し、このような場合、無線給電による金属性異物が異常に発熱する危険性を防止すべく、無線給電を止めるよう構成してもよい。
【０１９０】
なお、本実施形態は、上記第一の実施形態、その変形例、第二の実施形態、および、第三の実施形態と組み合わせてもよい。
【０１９１】
＜＜第五の実施形態＞＞
本発明の第五の実施形態を説明する。本実施形態では、送信対象の非接触受電装置２００ではなく、非接触送電装置１００の近傍にいる人３９０（ユーザ）を認証する。本実施形態の非接触送電装置１００は、近傍にいる人３９０が、事前登録された人である場合、送電電力の生成を行う。すなわち、本実施形態では、非接触送電装置１００の周囲に、予め登録されたユーザがいる場合、非接触送電装置１００は、送電電力を生成する。
【０１９２】
以下、本実施形態について、第四の実施形態と異なる構成に主眼をおいて説明する。本実施形態の非接触送電装置１００の構成、制御部１１７の機能ブロックは、基本的に第四の実施形態と同様である。ただし、本実施形態では、認証対象が人であるため、その点の処理が異なる。
【０１９３】
本実施形態の事前情報登録部４５１は、予め、ユーザの個人認証情報を事前登録する。本実施形態では、例えば、表示操作入力部１２１を介して、ユーザに個人認証情報の入力を促し、ユーザからの入力を受け付ける。受け付けた個人認証情報は、登録情報４５９として、メモリ部１１８に登録する。
【０１９４】
照合部４５２は、送電電力の生成に先立ち、ユーザ認証を行う。本実施形態では、ユーザに、認証情報の入力を促す。ここでは、事前登録処理時と同様、例えば、表示操作入力部１２１を介して、ユーザに個人認証情報の入力を促す。例えば、認証情報入力画面を生成し、表示操作入力部１２１の液晶パネル等に表示する。
【０１９５】
例えば、そして、認証情報の入力を受け付けると、登録情報４５９と照合し、認証を行う。両者が合致した場合、認証成功とし、不一致の場合、認証失敗とする。そして、認証結果を、送電電力生成指示部４３１に送信する。
【０１９６】
［送電電力生成処理］
以下、事前登録処理を終えた、本実施形態の制御部１１７による送電電力生成処理の流れを、図１７に沿って説明する。
【０１９７】
まず、照合部４５２は、認証情報入力要求を行う（ステップＳ５１０１）。ここでは、例えば、認証情報入力画面を生成し、ユーザからの認証情報の入力を待つ。
【０１９８】
照合部４５２は、信号受信部４１０を介して、認証情報の入力を受け付けると（ステップＳ５１０２）、認証を行う（ステップＳ５１０３）。ここで、認証に失敗した場合は、そのまま処理を終了する。
【０１９９】
なお、このとき、エラーメッセージを生成し、表示操作入力部１２１に表示させたり、音声入出力処理部１２４から出力させたりしてもよい。
【０２００】
一方、認証に成功した場合、照合部４５２は、送電電力生成指示部４３１に認証成功を通知する。そして、通知を受け、送電電力生成指示部４３１は、送電電力生成部１２０に送電電力生成を開始させる（ステップＳ１１０２）。以降の処理は、第一の実施形態と同様である。
【０２０１】
以上説明したように、本実施形態によれば、予め登録されたユーザが近傍にいる場合、送電電力の生成、送電を行う。すなわち、ユーザが、非接触送電装置１００の使用上、問題のないユーザであるか否かを確認の上、非接触送電装置１００を使用する。
【０２０２】
例えば、ペースメーカ装着者等が近傍にいる場合に非接触送電装置１００が使用されることを防ぐことができる。また、非接触送電装置１００の使用環境の安全性を確認しにくい幼児等による使用も防ぐことができる。一方、これらのユーザが、浴槽３５０内のバブル生成器２２０の機能を使用することは妨げない。従って、安全性が高く、かつ、利便性は犠牲にしない、非接触送受電システム１０１を提供できる。
【０２０３】
なお、本実施形態において、ユーザ認証の結果を、ユーザに通知するよう構成してもよい。通知手法は、上記各実施形態の通知手法と同様である。
【０２０４】
本実施形態も、上記各実施形態およびその変形例と組み合わせることができる。
【０２０５】
＜＜第六の実施形態＞＞
本発明の第六の実施形態を説明する。本実施形態では、非接触受電装置２００のバッテリ残量が低下した場合、通常人がいない時間帯に、自動的に充電を行う。ここでは、事前情報として、充電可能時間を登録する。すなわち、本実施形態では、非接触受電装置２００側の装置状態に応じて、非接触送電装置１００の周囲に人３９０がいない可能性が高い状況で、非接触送電装置１００は、送電電力を生成する。
【０２０６】
本実施形態の非接触送受電システム１０１は、基本的に第四の実施形態と同様の構成を有する。ただし、本実施形態では、上述のように事前に登録する情報が異なる。
【０２０７】
以下、本実施形態について、第四の実施形態と異なる構成に主眼をおいて説明する。
【０２０８】
本実施形態の事前情報登録部４５１は、予め、ユーザから、充電可能時間の登録を受け付ける。充電可能時間は、非接触送電装置１００の、稼働可能な時間である。この間、非接触送電装置１００を稼働させ、送電電力を生成させる。
【０２０９】
本実施形態の照合部４５２は、非接触受電装置２００（バブル生成器２２０）側から、後述する残量低下信号を受信すると、現在時刻と充電可能時間とを照合し、現在が充電可能時間であるか否かを判別する。そして、判別結果を、送電電力生成指示部４３１に送信する。
【０２１０】
なお、本実施形態では、非接触受電装置２００（バブル生成器２２０）側では、予めバッテリ残量閾値の登録を受け付け、メモリ部２１８に登録しておく。
【０２１１】
バッテリ残量閾値は、例えば、表示操作入力部２２１に設定画面を表示し、当該設定画面を介して入力を受け付ける。
【０２１２】
バッテリ残量閾値は、当該閾値以下となった場合、バッテリ２１４の充電、すなわち、非接触送電装置１００の送電電力の生成を開始する値である。
【０２１３】
また、上記各実施形態では、バブル生成器２２０側のバッテリ残量検出部２１３は、バッテリ２１４がフル充電された場合、充電完了信号を出力する場合を例にあげて説明した。しかし、本実施形態では、バッテリ残量検出部２１３は、所定の時間間隔でバッテリ残量を検出し、検出毎に、上記バッテリ残量閾値と比較する。そして、検出されたバッテリ残量が、バッテリ残量閾値以下となった場合、残量低下信号を非接触送電装置１００に送信する。
【０２１４】
［送電電力生成処理］
以下、事前登録処理を終えた、本実施形態の制御部１１７による送電電力生成処理の流れを、図１８に沿って説明する。
【０２１５】
本実施形態では、バブル生成器２２０側で、所定の時間間隔で、バッテリ残量検出部２１３がバッテリ残量を検出し、予め登録されたバッテリ残量閾値と比較する（ステップＳ６２０１）。そして、検出したバッテリ残量がバッテリ残量閾値以下となった場合、残量低下信号を生成し、近距離無線通信部２２３を介して、非接触送電装置１００に送信する（ステップＳ６２０２）。
【０２１６】
信号受信部４１０を介して残量低下信号を受信すると、照合部４５２は、現在時刻と、充電可能時間とを照合し、現在が、自動で充電が可能な時間であるか否かを判別する（ステップＳ６１０２）。充電可能な時間でなければ、そのまま処理を終了する。
【０２１７】
なお、このとき、エラーメッセージを生成し、表示操作入力部１２１に表示させたり、音声入出力処理部１２４から出力させたりしてもよい。また、充電可能な時間まで待つよう構成しもよい。
【０２１８】
一方、充電可能な時間と判別した場合、照合部４５２は、送電電力生成指示部４３１に送電電力生成指示を通知する。そして、通知を受け、送電電力生成指示部４３１は、送電電力生成部１２０に送電電力生成を開始させる（ステップＳ１１０２）。以降の処理は、第一の実施形態と同様である。
【０２１９】
以上説明したように、本実施形態によれば、非接触受電装置２００において、バッテリ２１４の充電が必要な状態となったとき、予め、充電が可能と登録されている時間であれば、自動で非接触送電装置１００が送電電力を生成し、非接触受電装置２００に給電する。従って、非接触受電装置２００では、自動的に充電が行われる。特に、充電可能時間として、予め、人３９０が非接触送電装置１００の近傍にいない可能性の高い時間を登録しておけば、安全性が高く、使い勝手のよい、非接触送受電システム１０１を提供できる。
【０２２０】
なお、上記実施形態では、バッテリ残量閾値を、非接触受電装置２００側に登録し、非接触受電装置２００側で、バッテリ残量と閾値とを比較するよう構成しているが、これに限定されない。
【０２２１】
例えば、バッテリ残量閾値を、非接触送電装置１００側のメモリ部１１８に登録しておく。そして、非接触受電装置２００側では、バッテリ残量検出部２１３がバッテリ残量を検出する毎に、バッテリ残量を、近距離無線通信部２２３を介して、非接触送電装置１００に送信する。そして、制御部１１７において、バッテリ残量がバッテリ残量閾値以下となったか否かを判別するよう構成してもよい。
【０２２２】
＜変形例＞
なお、上記実施形態では、充電可能時間を、ユーザが設定している。しかしながら、この手法に限定されない。例えば、充電可能時間が、人３９０が、非接触送電装置１００の近傍に存在しない可能性の高い時間とした場合、このような時間帯を制御部１１７で学習し、自動的に設定するよう構成してもよい。
【０２２３】
この場合の制御部の機能ブロックを図１９に示す。本変形例では、人検出部４２０と学習部４６０と、を備える。
【０２２４】
人検出部４２０は、上記各実施形態の人検出部４２０と同様である。すなわち、各検知部からの信号を受信し、浴室３３０内の人３９０の有無を検出する。本実施形態では、このとき、人３９０を検出しなかった期間（不在期間）の時刻情報も併せて取得し、学習部４６０に送信する。
【０２２５】
学習部４６０は、所定の期間毎の不在期間の時刻情報を蓄積し、統計的処理を行い、充電可能期間を算出する。本実施形態では、例えば、１日（２４時間）毎に、１時間単位で、各時間帯が不在であるか否かの情報を蓄積する。そして、蓄積情報の中で、所定の割合以上、不在と判断される時間帯を、充電可能期間と算出（決定）する。
【０２２６】
このような学習機能を備えることにより、より利便性の高い非接触送受電システム１０１を実現できる。
【０２２７】
＜変形例＞
なお、上記の各実施形態および変形例では、非接触送電装置１００が、照明点灯検知部３０１、人感センサ部３０２、ユーザ認証センサ部３０３および、ドア開閉ロック検知部３０５を備える場合を例にあげて説明した。しかしながら、これらの検知部は、非接触受電装置２００が備え、検知検出信号を、近距離無線通信で、非接触送電装置１００に送信するよう構成してもよい。
【０２２８】
また、照明点灯検知部３０１、人感センサ部３０２、ユーザ認証センサ部３０３、および、ドア開閉ロック検知部３０５は、非接触送電装置１００とは別装置として浴室３３０内の最適な位置に設置してもよい。この場合、各検知部は、近距離無線通信部を備え、各検知部による検知検出信号を、近距離無線通信で非接触送電装置１００に送信する。
【０２２９】
また、図２０に示すように、水センサ部３０４を、バブル生成器２２０側に設けてもよい。図２０は、水センサ部３０４をバブル生成器２２０側に設けた場合の例を模式的に示す図である。なお、図２０において、図１に示され、同一の符号を付された構成分は、図１で既に説明した機能と同じ機能を有する。従って、それらの詳細説明は省略する。
【０２３０】
本図に示す例では、非接触受電装置２００であるバブル生成器２２０では、水センサ部３０４で検知し、生成した水浸検知信号および水温検出信号を、近距離無線通信で非接触送電装置１００に送信する。これにより、図１で説明した、上記各実施形態と同様の作用、効果を得ることができる。
【０２３１】
更に、水センサ部３０４がバブル生成器２２０側に設けられていることにより、バブル生成器２２０が浴槽３５０内で水に浸されていることや水温を精度よく確実に検知検出することが可能となる。
【０２３２】
本変形例において、水センサ部３０４を複数設けてもよい。これにより、バブル生成器２２０の状態や水温の検知検出精度を一層向上させることができる。
【０２３３】
また、上記各実施形態および変形例では、非接触受電装置２００として浴槽内でバブルを発生するバブル生成器２２０を例にあげて説明したが、非接触受電装置２００は、これに限定されない。例えば、浴室内で使用され、無線給電により装置内のバッテリ２１４に充電される非接触受電装置２００であれば、その種類は問わない。例えば、マッサージ機器、スマートフォンなどの携帯情報端末、電気シェーバ、脱毛器、うぶ毛そり器、電気歯ブラシなどの理美容機器であってもよい。なお、水中で使用するか否かにより適用可能な実施形態、変形例は一部異なるが、機能部２１５の動作が異なるだけで同様の作用、効果が得られることは言うまでもない。
【０２３４】
図２１は、非接触受電装置２００として、スマートフォンなどの携帯情報端末２３０を使用する場合の例を模式的に示す図である。図２１において、図１、図２０、図２に既に示され、同一の符号を付された構成は、これらの各図で既に説明した機能と同一の機能を有する。従って、それらの詳細説明は省略する。
【０２３５】
図２１においては、例えば、非接触送電装置１００が、浴室３３０外に設置される場合を例示する。この場合、携帯情報端末２３０は、浴槽３５０の一端などに置かれる。そして、携帯情報端末２３０は、浴室壁面３３１を介して浴室３３０外に設置された非接触送電装置１００から無線給電され、バッテリ２１４に充電される。この場合、携帯情報端末２３０が非接触送電装置１００の無線給電エリア内にあればよい。
【０２３６】
本図の例によれば、携帯情報端末２３０は、無線給電によりバッテリ２１４の充電を行いつつ、浴室３３０内で、配置の制約無しに、自在に使用できる。例えば、手に持って操作しながら、バッテリ２１４の充電を行うことができる。従って、バッテリ残量を気にすることなく使用することができ、携帯情報端末の使い勝手を大幅に向上させることができる。
【０２３７】
また、図２２は、非接触受電装置２００として、電気シェーバ２４０を使用する場合の例を模式的に示す図である。本図において、図１、図２０、図２に示され、同一の符号を付された構成は、これらの各図で既に説明した機能と同一の機能を有する。従って、それらの詳細説明は省略する。
【０２３８】
本図に示すように、電気シェーバ２４０は、使用前には置き台２４１に置かれ、置き台２４１を介して非接触送電装置１００から無線給電され、バッテリ２１４に充電される。なお、非接触送電装置１００は、例えば、浴室３３０内の、鏡３８２や蛇口３８３の横に設置されてもよい。
【０２３９】
この場合、電気シェーバ２４０が非接触送電装置１００の無線給電エリア内にあれば、無線給電によるバッテリ充電を行いつつ、バッテリ残量を気にすることなく、電気シェーバ２４０の機能を使用できる。従って、電気シェーバ２４０の使い勝手を向上できる。
【０２４０】
なお、非接触受電装置２００が、携帯情報端末２３０や電気シェーバ２４０の場合、非接触送電装置１００の送電電力生成処理において、置き忘れ防止処理を含んでもよい。
【０２４１】
例えば、充電完了後、ユーザが浴室３３０から出ていき、浴室３３０内に不在となった場合、非接触受電装置２００の置忘れがあるか否かを検知する。不在となったか否かは、上述した、人検出部４２０により検出する。
【０２４２】
また、非接触受電装置２００が、浴室３３０内に存在するか否かは、例えば、非接触送電装置１００から、非接触受電装置２００に対し、近距離無線通信機能を用いて、存在確認信号を送信することにより行う。非接触受電装置２００は、他装置から存在確認信号を受信した場合、送信元の装置に対し、返信を行うよう構成する。
【０２４３】
非接触送電装置１００の制御部１１７は、送信した存在確認信号に対し、返信を受信した場合、当該装置が存在すると判断する。
【０２４４】
非接触送電装置１００の制御部１１７は、充電が完了し、人３９０が不在と判断され、かつ、非接触受電装置２００が近傍に存在する場合、置き忘れと判断する。そして、制御部１１７は、警告を出力する。
【０２４５】
ここで、出力する警告は、例えば、非接触送電装置１００の表示操作入力部１２１に警告表示を行う、音声入出力処理部１２４から音声通知を出力する、非接触受電装置２００の表示操作入力部２２１に警告表示を行う、音声入出力処理部２２４から音声通知を出力するなどである。
【０２４６】
非接触受電装置２００が、携帯情報端末２３０である場合、当該端末に、メール等で通知してもよい。この場合、非接触送電装置１００は、給電対象の装置のメールアドレス等を、予め登録情報４５９として記憶しておく。
【０２４７】
また、上記各実施形態および各変形例では、無線給電（非接触送電）の方式として、電磁誘導を用いる場合を例にあげて説明したが、無線給電は、この方式に限定されない。例えば、磁界共鳴やマイクロ波給電などによる方式であってもよい。
【０２４８】
なお、本発明は上記した実施形態および変形例に限定されるものではなく、様々な変形例が含まれる。例えば、上記した実施形態および変形例は本発明を分かりやすく説明するために詳細に説明したものであり、必ずしも説明した全ての構成を備えるものに限定されるものではない。また、ある実施形態または変形例の構成の一部を他の実施形態や変形例の構成に置き換えることが可能である。また、ある実施形態または変形例の構成に他の実施形態または変形例の構成を加えることも可能である。さらに、各実施形態または変形例の構成の一部について、他の構成の追加・削除・置換をすることが可能である。
【０２４９】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウエアで実現してもよい。各機能を実現するプログラム、テーブル、ファイル等の情報は、メモリ部１１８、２１８や、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【０２５０】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０２５１】
１００：非接触送電装置、１０１：非接触送受電システム、１１１：整流部、１１２：ＤＣ−ＤＣコンバータ部、１１３：共振周波数発生部、１１４：増幅部、１１５：送電電力生成増幅部、１１６：送電コイル、１１７：制御部、１１７ｃ：ＣＰＵ、１１７ｒ：ＲＡＭ、１１８：メモリ部、１２０：送電電力生成部、１２１：表示操作入力部、１２２：通信部、１２３：近距離無線通信部、１２４：音声入出力処理部、１２５：送受信アンテナ、１２９：バス、
２００：非接触受電装置、２１１：整流部、２１２：直流電圧電流供給部、２１３：バッテリ残量検出部、２１４：バッテリ、２１５：機能部、２１６：受電コイル、２１７：制御部、２１７ｃ：ＣＰＵ、２１７ｒ：ＲＡＭ、２１８：メモリ部、２２０：バブル生成器、２２１：表示操作入力部、２２２：通信部、２２３：近距離無線通信部、２２４：音声入出力処理部、２２５：送受信アンテナ、２２９：バス、２３０：携帯情報端末、２４０：電気シェーバ、２４１：置き台、
３０１：照明点灯検知部、３０２：人感センサ部、３０３：ユーザ認証センサ部、３０４：水センサ部、３０５：ドア開閉ロック検知部、３３０：浴室、３３１：浴室壁面、３３２：浴室ドア、３３３：ドアノブ、３４０：浴槽用水温加熱装置、３４１：加熱部、３４２：電源スイッチ、３５０：浴槽、３６０：浴室用照明、３６１：照明ＳＷ、３７０：商用電源、３８２：鏡、３８３：蛇口、３９０：人、
４１０：信号受信部、４２０：人検出部、４３１：送電電力生成指示部、４３２：送電電力生成停止指示部、４４０：パワー決定部、４５１：事前情報登録部、４５２：照合部、４５９：登録情報、４６０：学習部
【図１】
2019180895.tif 000003
【図２】
2019180895.tif 000004
【図３】
2019180895.tif 000005
【図４】
2019180895.tif 000006
【図５】
2019180895.tif 000007
【図６】
2019180895.tif 000008
【図７】
2019180895.tif 000009
【図８】
2019180895.tif 000010
【図９】
2019180895.tif 000011
【図１０】
2019180895.tif 000012
【図１１】
2019180895.tif 000013
【図１２】
2019180895.tif 000014
【図１３】
2019180895.tif 000015
【図１４】
2019180895.tif 000016
【図１５】
2019180895.tif 000017
【図１６】
2019180895.tif 000018
【図１７】
2019180895.tif 000019
【図１８】
2019180895.tif 000020
【図１９】
2019180895.tif 000021
【図２０】
2019180895.tif 000022
【図２１】
2019180895.tif 000023
【図２２】
2019180895.tif 000024
【国際調査報告】
2019180895.tif 000025
2019180895.tif 000026
2019180895.tif 000027
2019180895.tif 000028